(57)【要約】【課題】データを送受信する方法及び装置を提供する。【解決手段】本発明の一実施例による可変周波数帯域を使用するＭＩＭＯシステムにおける送信端末が受信端末にデータを送信する方法は、前記データフレームの送信に適用される周波数帯域に応じて繰り返してシグナルフィールドを生成するステップ；前記データを含むデータフィールドを生成するステップ；前記シグナルフィールド及び前記データフィールドを含むデータフレームを生成するステップ；及び、前記データフレームを前記受信端末に送信するステップ；を含む。本発明によると、ＭＩＭＯシステムにおける送信端末が受信端末にデータを送信する時、共に送信されるシグナルフィールドをより効率的に送信することができるという効果がある。【選択図】図６０
2020188493.tif 000002
【特許請求の範囲】
【請求項１】
無線ネットワークにおける通信方法であって、
第１の周波数帯域で第１の制御フィールドを送信するステップであって、前記第１の周波数帯域の帯域幅が２０ＭＨｚの倍数である、ステップと、
前記第１の周波数帯域で第２の制御フィールドを送信するステップと、を備え、
前記第２の制御フィールドは複数のビットに対応し、
前記第２の制御フィールドに対応するビットの数は、前記動作帯域に基づいて異なるように設定され、
前記第２の制御フィールドに対応する前記複数のビットは、第１のビット部分を含み、前記第１のビット部分は繰り返され、
前記第１のビット部分は、次のユーザデータの長さを示す第１の指示子と、前記第１の指示子に続く予約ビット部分と、前記予約ビット部分に続くテールビット部分とを含み、
前記第１の周波数帯域が４０ＭＨｚである場合に前記第１の指示子を含むビットの数は、前記第１の周波数帯域が４０ＭＨｚよりも大きい場合に前記第１の指示子を含むビットの数よりも小さい、方法。
【発明の詳細な説明】
【技術分野】
【０００１】
本発明は、データを送受信する方法及び装置に関し、より詳しくは、ＭＩＭＯシステムにおけるデータを送受信する方法及び装置に関する。
【背景技術】
【０００２】
無線ＬＡＮは、基本的に分散システム(Ｄｉｓｔｒｉｂｕｔｉｏｎ Ｓｙｓｔｅｍ；ＤＳ)の接続点役割をするアクセスポイント(Ａｃｃｅｓｓ Ｐｏｉｎｔ；ＡＰ)及びＡＰでない複数の無線端末(ＳＴＡｔｉｏｎ；ＳＴＡ)で構成される基本サービスセット(Ｂａｓｉｃ Ｓｅｒｖｉｃｅ Ｓｅｔ；ＢＳＳ)モードや、ＳＴＡのみで構成される独立基本サービスセット(Ｉｎｄｅｐｅｎｄｅｎｔ ＢＳＳ；ＩＢＳＳ)モードをサポートする。(以下、ＡＰとＳＴＡを通称して“端末”と呼ぶ。)
【０００３】
多重アンテナを使用する無線通信システム、即ち、ＭＩＭＯ(Ｍｕｌｔｉｐｌｅ Ｉｎｐｕｔ Ｍｕｌｔｉｐｌｅ Ｏｕｔｐｕｔ)システムではアンテナ個数の増加によってチャネル容量が増加し、これによって周波数効率を上げることができる。ＭＩＭＯシステムは、次のように２つに分類されることができる。第１は、単一ユーザ(Ｓｉｎｇｌｅ Ｕｓｅｒ)にのみ多重ストリームを送信するＳＵ−ＭＩＭＯである。第２は、ＡＰでユーザ間の干渉を除去してマルチユーザ(Ｍｕｌｔｉ Ｕｓｅｒ)に多重ストリームを送信するＭＵ−ＭＩＭＯである。
【０００４】
ＭＵ−ＭＩＭＯは、チャネル容量の増加と共にマルチユーザダイバーシティ利得まで得ることができるという長所がある。また、ＭＵ−ＭＩＭＯ方式は、同時に同一周波数帯域を使用して多重ストリームをマルチユーザに送信することができるため、既存の通信方式に比べて処理量(ｔｈｒｏｕｇｈｐｕｔ)が増加する。一般的に、周波数帯域を増加させることによって無線通信システムの処理量を増加させることはできるが、周波数帯域増加によるシステム費用が増加するという短所がある。これに対し、ＭＵ−ＭＩＭＯ方式は、周波数帯域を増加させないが、既存通信方式に比べて複雑度が大きく増加する。これによって、８０２.１１ａｃのような標準では周辺状況によって可変的な周波数を使用すると共に、ＭＵ−ＭＩＭＯ技術を適用することができる方法が論議されている。
【０００５】
このように可変周波数帯域を使用し、マルチユーザに同時に多重アンテナストリームを送信する無線通信システムでは、データフィールドと共に、該当データフィールドに対する情報を含むシグナルフィールドが送信される。シグナルフィールドは、次のように２つに分けられる。第１は、ユーザに共通的に適用される情報を含む共通シグナルフィールド(ｃｏｍｍｏｎ ｓｉｇｎａｌ ｆｉｅｌｄ)である。第２は、各ユーザ別に適用される情報を含む専用シグナルフィールド(ｄｅｄｉｃａｔｅｄ ｓｉｇｎａｌｆｉｅｌｄ)である。
共通シグナルフィールドは、共通ユーザグループに属するユーザ及び属しないユーザの両方ともが認知することができる。また、共通シグナルフィールドは、送信されたデータフレームがどんな通信システムにより生成されたものであるかを判別する自動検出(ａｕｔｏ−ｄｅｔｅｃｔｉｏｎ)に用いられるため、互換性を有しなければならない。従って、共通シグナルフィールドのフォーマット又は構成の変更には制約がある。
【０００６】
このような共通シグナルフィールドは、ＳＮＲ Ｇａｉｎと周波数ダイバーシティ利得のために単純繰り返し構造により送信される。然しながら、専用シグナルフィールドは、共通シグナルフィールドのように単純繰り返し構造を用いるとしても、ＳＮＲ Ｇａｉｎと周波数ダイバーシティ利得を同時に得ることができない。
【発明の概要】
【発明が解決しようとする課題】
【０００７】
本発明の目的は、ＭＩＭＯシステムにおける送信端末が受信端末にデータを送信する時、共に送信されるシグナルフィールドをより効率的に送信することができる方法及び装置を提供することである。
【０００８】
本発明の目的は、以上で言及した目的に制限されるものではなく、言及されない本発明の他の目的及び長所は、以下の説明により理解されることができ、本発明の実施例により明らかに理解されることができる。また、本発明の目的及び長所は、特許請求の範囲に開示する手段及びその組合せにより実現されることができることを容易に知ることができる。
【課題を解決するための手段】
【０００９】
このような目的を達成するために、本発明は、可変周波数帯域を使用するＭＩＭＯシステムにおける送信端末が受信端末にデータを送信する方法において、前記データフレームの送信に適用される周波数帯域に応じて繰り返してシグナルフィールドを生成するステップ；前記データを含むデータフィールドを生成するステップ；前記シグナルフィールド及び前記データフィールドを含むデータフレームを生成するステップ；及び、前記データフレームを前記受信端末に送信するステップ；を含むことを特徴とする。
【００１０】
また、本発明は、可変周波数帯域を使用するＭＩＭＯシステムにおける受信端末が送信端末からデータを受信する方法において、シグナルフィールド及びデータフィールドを含むデータフレームを受信するステップ；及び、前記シグナルフィールドを用いて前記データフィールドに含まれている前記データを獲得するステップ；を含み、前記シグナルフィールドは、前記データフレームの送信に適用される周波数帯域に応じて前記シグナルフィールドに繰り返して含まれることを特徴とする。
【００１１】
また、本発明は、可変周波数帯域を使用するＭＩＭＯシステムにおける受信端末にデータを送信する端末において、前記データフレームの送信に適用される周波数帯域に応じて繰り返してシグナルフィールドを生成するシグナルフィールド生成部；前記データを含むデータフィールドを生成するデータフィールド生成部；前記シグナルフィールド及び前記データフィールドを含むデータフレームを生成するデータフレーム生成部；及び、前記データフレームを前記受信端末に送信する送信部を含むことを特徴とする。
【００１２】
また、本発明は、可変周波数帯域を使用するＭＩＭＯシステムにおける送信端末からデータを受信する端末において、シグナルフィールド及びデータフィールドを含むデータフレームを受信する受信部；及び、前記シグナルフィールドを用いて前記データフィールドに含まれている前記データを獲得するデータ獲得部；を含み、前記シグナルフィールドは、前記データフレームの送信に適用される周波数帯域に応じて前記シグナルフィールドに繰り返して含まれることを特徴とする。
【発明の効果】
【００１３】
前述したような本発明によると、ＭＩＭＯシステムにおける送信端末が受信端末にデータを送信する時、共に送信されるシグナルフィールドをより効率的に送信することができるという長所がある。
【００１４】
また、本発明によると、ＭＵ−ＭＩＭＯシステムにおける専用シグナルフィールドを送信する時、ユーザの周波数帯域とストリーム個数などを活用し、シグナルフィールドの性能を改善すると共に送信時間を減らすことによって、シグナルフィールドを用いてより多くの情報を効率的に送信することができるという長所がある。
【図面の簡単な説明】
【００１５】
【図１】本発明のデータ送受信方法で使われるデータフレームの構造を示す。
【図２】８０ＭＨｚ周波数帯域で、ＡＰが４個のアンテナを用いてＭＵ−ＭＩＭＯビーム形成(ｂｅａｍｆｏｒｍｉｎｇ)を介して４個のストリームを送信し、２個のＳＴＡが各々２個のアンテナを用いて受信されたストリームを受信する実施例を示す。
【図３】２０ＭＨｚ周波数帯域で、ＳＴＡが１個のストリームを受信する場合のＶＨＴ−ＳＩＧ Ｂフィールドの構造を示す。
【図４】２０ＭＨｚ周波数帯域で、ＳＴＡが４個のストリームを受信する場合のＶＨＴ−ＳＩＧ Ｂフィールドの構造を示す。
【図５】８０ＭＨｚ周波数帯域で、ＳＴＡが４個のストリームを受信する場合のＶＨＴ−ＳＩＧ Ｂフィールドの構造を示す。
【図６】２０ＭＨｚ周波数帯域で、ＳＴＡが１個のストリームを受信する場合、２シンボルを有するＶＨＴ−ＳＩＧ Ｂフィールドの構造を示す。
【図７】２０ＭＨｚ周波数帯域で、ＳＴＡが４個のストリームを受信する場合、２シンボルを有するＶＨＴ−ＳＩＧ Ｂフィールドの構造を示す。
【図８】２０ＭＨｚ周波数帯域で、ＳＴＡが４個のストリームを受信する場合、１シンボルを有するＶＨＴ−ＳＩＧ Ｂフィールドの構造を示す。
【図９】４０ＭＨｚ周波数帯域で、ＳＴＡが１個のストリームを受信する場合、ＶＨＴ−ＳＩＧ Ａと類似に２シンボルにわたってＳＩＧ Ｂを送る実施例を示す。
【図１０】４０ＭＨｚ周波数帯域で、ＳＴＡが１個のストリームを受信する場合、１シンボルを有するＶＨＴ−ＳＩＧ Ｂフィールドの構造を示す。
【図１１】本発明によるデータ送信方法を２０ＭＨｚ周波数帯域でＳＴＡが２個のストリームを受信する場合に適用した実施例を示す。
【図１２】本発明によるデータ送信方法を２０ＭＨｚ周波数帯域でＳＴＡが３個のストリームを受信する場合に適用した実施例を示す。
【図１３】本発明によるデータ送信方法を２０ＭＨｚ周波数帯域でＳＴＡが４個のストリームを受信する場合に適用した実施例を示す。
【図１４】本発明によるデータ送信方法を４０ＭＨｚ周波数帯域でＳＴＡが１個のストリームを受信する場合に適用した実施例を示す。
【図１５】本発明によるデータ送信方法を４０ＭＨｚ周波数帯域でＳＴＡが２個のストリームを受信する場合に適用した実施例を示す。
【図１６】本発明によるデータ送信方法を４０ＭＨｚ周波数帯域でＳＴＡが３個のストリームを受信する場合に適用した実施例を示す。
【図１７】本発明によるデータ送信方法を８０ＭＨｚ周波数帯域でＳＴＡが１個のストリームを受信する場合に適用した実施例を示す。
【図１８】本発明によるデータ送信方法を８０ＭＨｚ周波数帯域でＳＴＡが２個のストリームを受信する場合に適用した実施例を示す。
【図１９】本発明によるデータ送信方法を８０ＭＨｚ周波数帯域でＳＴＡが３個のストリームを受信する場合に適用した実施例を示す。
【図２０】本発明によるデータ送信方法を８０ＭＨｚ周波数帯域でＳＴＡが４個のストリームを受信する場合に適用した実施例を示す。
【図２５】本発明によるデータ送信方法を８０ＭＨｚ周波数帯域で非連続(ｎｏｎ−ｃｏｎｔｉｇｕｏｕｓ)マルチチャネルにデータが送信される場合に適用した実施例を示す。
【図２６】本発明によるデータ送信方法を８０ＭＨｚ周波数帯域で３個の非連続マルチチャネルにデータが送信される場合に適用した実施例を示す。
【図２７】本発明によるデータ送信方法を２０ＭＨｚ周波数帯域でＱＰＳＫ１シンボルを使用してデータが送信される場合に適用した実施例を示す。
【図２８】本発明によるデータ送信方法を４０ＭＨｚ周波数帯域でＱＰＳＫ１シンボルを使用してデータが送信される場合に適用した実施例を示す。
【図２９】本発明によるデータ送信方法を８０ＭＨｚ周波数帯域でＱＰＳＫ１シンボルを使用してデータが送信される場合に適用した実施例を示す。
【図３０】本発明によるデータ送信方法を８０ＭＨｚ周波数帯域でＱＰＳＫ１シンボルを使用して２個の非連続マルチチャネルにデータが送信される場合に適用した実施例を示す。
【図３１】本発明によるデータ送信方法を８０ＭＨｚ周波数帯域でＱＰＳＫ１シンボルを使用して３個の非連続マルチチャネルにデータが送信される場合に適用した実施例を示す。
【図３２】本発明によるデータ送信方法を２０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。
【図３３】本発明によるデータ送信方法を４０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。
【図３４】本発明によるデータ送信方法を２０ＭＨｚ周波数帯域で２個の時空(Ｓｐａｃｅ−Ｔｉｍｅ)ストリームを用いて１個のストリームを送信する場合に適用した実施例を示す。
【図３５】本発明によるデータ送信方法を２０ＭＨｚ周波数帯域で１番目のストリームは２個の時空(Ｓｐａｃｅ−Ｔｉｍｅ)ストリームを用いて送信し、２番目のストリームはそのまま送信する場合に適用した実施例を示す。
【図３６】４０ＭＨｚ周波数帯域で、１番目のストリームは２個の時空(Ｓｐａｃｅ−Ｔｉｍｅ)ストリームを用いて送信し、２番目のストリームはそのまま送信する場合に適用した実施例を示す。
【図３７】本発明によるデータ送信方法を４０ＭＨｚ周波数帯域でＳＴＡが１個のストリームを受信する場合に適用した実施例を示す。
【図３８】本発明によるデータ送信方法を４０ＭＨｚ周波数帯域でＳＴＡが２個のストリームを受信する場合に適用した実施例を示す。
【図３９】本発明によるデータ送信方法を４０ＭＨｚ周波数帯域でＳＴＡが３個のストリームを受信する場合に適用した実施例を示す。
【図４０】本発明によるデータ送信方法を４０ＭＨｚ周波数帯域でＳＴＡが４個のストリームを受信する場合に適用した実施例を示す。
【図４１】本発明によるデータ送信方法を８０ＭＨｚ周波数帯域でＳＴＡが１個のストリームを受信する場合に適用した実施例を示す。
【図４２】本発明によるデータ送信方法を８０ＭＨｚ周波数帯域でＳＴＡが２個のストリームを受信する場合に適用した実施例を示す。
【図４３】本発明によるデータ送信方法を８０ＭＨｚ周波数帯域でＳＴＡが３個のストリームを受信する場合に適用した実施例を示す。
【図４４】本発明によるデータ送信方法を８０ＭＨｚ周波数帯域でＳＴＡが４個のストリームを受信する場合に適用した実施例を示す。
【図４５】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットである時のＶＨＴ−ＳＩＧ Ｂのビット割当を示す。
【図４６】図４５のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。
【図４７】図４５のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。
【図４８】図４５のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。
【図４９】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットであり、サービスフィールドに含まれている予備ビット一部をＣＲＣビットとして使用する実施例を示す。
【図５０】ＳＵ−ＭＩＭＯで、ＶＨＴ−ＳＩＧ Ｂの長さが、２０ＭＨｚ帯域で２６ビットであり、４０ＭＨｚ帯域で２７ビットであり、８０ＭＨｚ帯域で２９ビットである時のＶＨＴ−ＳＩＧ Ｂのビット割当を示す。
【図５１】図５０のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。
【図５２】図５０のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。
【図５３】図５０のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。
【図５４】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットであり、サービスフィールドに含まれている予備ビットのうち一部をＣＲＣビットとして使用する実施例を示す。
【図５５】ＣＤＤ技法が用いられ、各アンテナ別に互いに異なる遅延が適用される時、本発明によるデータ送信方法を２０ＭＨｚ周波数帯域でＳＴＡが４個のストリームを受信する場合に適用した実施例を示す。
【図５６】ＣＤＤ技法が用いられ、各アンテナ別に互いに異なる遅延が適用される時、本発明によるデータ送信方法を４０ＭＨｚ周波数帯域でＳＴＡが４個のストリームを受信する場合に適用した実施例を示す。
【図５７】ＣＤＤ技法が用いられ、各アンテナ別に互いに異なる遅延が適用される時、本発明によるデータ送信方法を８０ＭＨｚ周波数帯域でＳＴＡが４個のストリームを受信する場合に適用した実施例を示す。
【図５８】本発明の一実施例による送信端末の構成を示す。
【図５９】本発明の一実施例による受信端末の構成を示す。
【発明を実施するための形態】
【００１６】
前述した目的、特徴及び長所は、添付図面を参照して詳細に後述され、これによって、本発明が属する技術分野において通常の知識を有する者が本発明の技術的思想を容易に実施することができる。本発明を説明するにあたって、本発明と関連した公知技術に対する具体的な説明が本発明の要旨を不要にすると判断される場合には詳細な説明を省略する。
以下、添付図面を参照して本発明による好ましい実施例を詳細に説明する。図面で同じ参照符号は、同一又は類似の構成要素を示す。
【００１７】
図１は、本発明のデータ送受信方法で使われるデータフレームの構造を示す。
【００１８】
図１で、トレーニングフィールド(ｔｒａｉｎｉｎｇ ｆｉｅｌｄ)であるＬ−ＳＴＦ、Ｌ−ＬＴＦとシグナルフィールドであるＬ−ＳＩＧは、既存の８０２.１１で使われるデータフレームのそれと同じである。また、図１のフレームは、高速無線通信、即ち、ＶＨＴ(Ｖｅｒｙ Ｈｉｇｈ Ｔｈｒｏｕｇｈｐｕｔ)専用フィールドをさらに含む。ＶＨＴ−ＳＴＦ、ＶＨＴ−ＬＴＦは、ＶＨＴ専用トレーニングフィールドであり、ＶＨＴ−ＳＩＧ Ａ、ＶＨＴ−ＳＩＧ Ｂは、ＶＨＴ専用シグナルフィールドである。
【００１９】
図１のデータフレームには、マルチユーザに各々送信されるデータを含むデータフィールド(ＶＨＴ−ＤＡＴＡ)が存在する。ＶＨＴ−ＳＩＧ Ｂは、この各々のデータフィールドに対する情報を含む。例えば、ＶＨＴ−ＳＩＧ Ｂには、ＶＨＴ−ＤＡＴＡフィールドに含まれている有用データ(ｕｓｅｆｕｌｄａｔａ)の長さ情報、ＶＨＴ−ＤＡＴＡフィールドの変調及びコーディング方法(Ｍｏｄｕｌａｔｉｏｎ ａｎｄ Ｃｏｄｉｎｇ Ｓｃｈｅｍｅ；ＭＣＳ)情報などが含まれることができる。このように、ＶＨＴ−ＳＩＧ Ｂフィールドは各ユーザ別情報を含んでいるため、専用シグナルフィールドに該当する。これに対し、ＶＨＴ−ＳＩＧ Ａフィールドは、全てのユーザが認知することができるように送信される共通シグナルフィールドである。
【００２０】
図２は、８０ＭＨｚ周波数帯域で、ＡＰが４個のアンテナを用いてＭＵ−ＭＩＭＯビーム形成(ｂｅａｍｆｏｒｍｉｎｇ)を介して４個のストリームを送信し、２個のＳＴＡが各々２個のアンテナを用いて受信されたストリームを受信する実施例を示す。
【００２１】
図２の実施例で、共通シグナルフィールドであるＶＨＴ−ＳＩＧ Ａフィールドは、４回繰り返されて１個のストリームとして送信され、この送信にはＭＵ−ＭＩＭＯが適用されない。図２で、ＶＨＴ−ＳＩＧ Ａフィールドの前にＬ−ＳＩＧフィールドが存在することは、既存のレガシ(ｌｅｇａｃｙ)装備との後方互換性(ｂａｃｋｗａｒｄ ｃｏｍｐａｔｉｂｉｌｉｔｙ)を維持するためである。また、ＶＨＴ−ＴＦフィールドは、ＭＵ−ＭＩＭＯビーム形成を使用する時、チャネル推定を実行するために使われ、Ｒｅｓｏｌｖａｂｌｅ又はＮｏｎ−ｒｅｓｏｌｖａｂｌｅ形態を有することができる。
【００２２】
ＶＨＴ−ＳＩＧ Ａは、２個のＳＴＡに共通的に適用される共通情報を含む。また、ＶＨＴ−ＳＩＧ Ａは、レガシ装備で生成されるシグナルフィールドとは異なる構造を有することによって、ＶＨＴ装備の自動検出(ａｕｔｏ−ｄｅｔｅｃｔｉｏｎ)に使われる。この時、ＶＨＴ−ＳＩＧ Ａを２０ＭＨｚ周波数単位に単純繰り返して送信することによって、ＳＮＲ Ｇａｉｎと周波数ダイバーシティ利得を同時に得ることができる。
【００２３】
これに比べ、専用シグナルフィールドであるＶＨＴ−ＳＩＧ Ｂは、各ＳＴＡ別に適用される情報を含んで送信される。従って、ＶＨＴ−ＳＩＧ Ｂは、ＶＨＴ−ＳＩＧ Ａのように単純繰り返し構造を用いて送信される必要がない。また、ＶＨＴ−ＳＩＧ Ａのように単純繰り返し構造を用いて送信されるとしても、ＶＨＴ−ＳＩＧ Ｂは、ＳＮＲ Ｇａｉｎと周波数ダイバーシティ利得を同時に得ることはできない。
【００２４】
本発明は、このような問題点を解決するためのものであり、ＶＨＴ−ＳＩＧ Ｂフィールドの送信時に、既存のＶＨＴ−ＳＩＧ Ａフィールドのように単純繰り返し方法でない新たな方法を用いることによって送信効率を上げることができる方法及び装置、及びデータフィールドの構成に関する。
【００２５】
図３は、２０ＭＨｚ周波数帯域で、ＳＴＡが１個のストリームを受信する場合のＶＨＴ−ＳＩＧ Ｂフィールドの構造を示す。ここで、ＶＨＴ−ＳＩＧ Ｂ(以下、ＳＩＧ Ｂ)は、ＢＰＳＫに変調され、ＯＦＤＭ１シンボルを有する。図３のような場合、ＳＩＧ Ｂが１個しかないため、そのまま送信されてもよい。
【００２６】
図４は、２０ＭＨｚ周波数帯域で、ＳＴＡが４個のストリーム(ｓｔｒｅａｍ)を受信する場合のＶＨＴ−ＳＩＧ Ｂフィールドの構造を示す。図４の実施例では、４個のＳＩＧ Ｂが送信される。然しながら、ＳＩＧ ＢがＶＨＴ−ＳＩＧ Ａのように単純繰り返して送信される場合、ＭＵ−ＭＩＭＯビーム形成時ＯＦＤＭの特定副搬送波のチャネル環境が悪化すると、繰り返される４個のビットが全部同じ状況に置かれるようになる。従って、４回繰り返しによるＳＮＲ ｇａｉｎを得ることはできるが、周波数ダイバーシティ効果は得ることができない。
【００２７】
従って、本発明では、ストリーム１からストリーム４のＳＩＧ Ｂに互いに異なるインターリービングを適用する。ＳＩＧ Ｂの符号化された符号語ののようなビットが異なるストリームの異なる副搬送波に載せて送信されるようにすると、ＳＮＲ ｇａｉｎと周波数ダイバーシティ利得を同時に得ることができるため送信性能が改善される。
【００２８】
図５は、８０ＭＨｚ周波数帯域で、ＳＴＡが４個のストリームを受信する場合のＶＨＴ−ＳＩＧ Ｂフィールドの構造を示す。図５の実施例では、ＳＩＧ Ｂを周波数帯域で単純繰り返してもＳＮＲ ｇａｉｎと周波数ダイバーシティ利得を同時に得ることができる。
従って、図４の実施例で４個のストリームに適用された方式を単純に繰り返すことによって最大性能を得ることができる。
【００２９】
４０ＭＨｚ周波数帯域又は１６０ＭＨｚ帯域、及びストリーム個数が２個又は３個である場合にも図４及び図５に開示された方法が同じに適用されることができる。
【００３０】
一方、ＶＨＴ−ＳＩＧ Ｂフィールドに含まれる情報は、ＶＨＴ−ＤＡＴＡフィールドに含まれる情報に比べてより安定的に送信されるべき必要がある。従って、ＶＨＴ−ＳＩＧ Ｂフィールドは、一般的にＢＰＳＫ変調及び低い符号率を用いて送信する等の保護が行われる。従って、図４又は図５に開示された方法は、ＶＨＴ−ＳＩＧ Ｂに対する必要以上の保護になることができる。
【００３１】
ＶＨＴ−ＳＩＧ Ａの場合、受信端で必ず２０ＭＨｚ単位に認識されなければならない。従って、ＶＨＴ−ＳＩＧ Ａは、シンボル数と関係無しに該当シンボル長さほどを必ず繰り返して送信すべきである。然しながら、ＶＨＴ−ＳＩＧ Ｂを該当シンボル長さほど繰り返し送信することは前述した送信性能と効率性面で問題になることができる。
【００３２】
図６は、２０ＭＨｚ周波数帯域で、ＳＴＡが１個のストリームを受信する場合、２シンボルを有するＶＨＴ−ＳＩＧ Ｂフィールドの構造を示す。図６で、ＳＩＧ Ｂは、ＢＰＳＫに変調されてＯＦＤＭ２シンボルを有する。この場合、ＳＩＧ Ｂが１個しかないためそのまま送信されてもよい。
【００３３】
図７は、２０ＭＨｚ周波数帯域で、ＳＴＡが４個のストリームを受信する場合、２シンボルを有するＶＨＴ−ＳＩＧ Ｂフィールドの構造を示す。図４の実施例と同様に、ストリーム別に互いに異なるインターリービングを適用することによって、ＳＮＲ ｇａｉｎと周波数ダイバーシティ利得を得ることができる。
【００３４】
然しながら、ＳＩＧ Ｂを繰り返しなくても十分の性能を得ることができる場合には、図７のような方法は、２シンボルにわたって送信するため効率的な送信にならない。従って、次のような送信方法が考慮される。
【００３５】
図８は、２０ＭＨｚ周波数帯域で、ＳＴＡが４個のストリームを受信する場合、１シンボルを有するＶＨＴ−ＳＩＧ Ｂフィールドの構造を示す。図８の実施例では、２０ＭＨｚ周波数帯域で１ストリームで送信時に２シンボルを占めていたＳＩＧ Ｂ情報を１シンボルのみで効率的に送信することができる。
【００３６】
データフレーム送信に適用される周波数帯域が増える時、図８と類似の方法を考慮することができる。図９は、４０ＭＨｚ周波数帯域で、ＳＴＡが１個のストリームを受信する場合、ＶＨＴ−ＳＩＧ Ａと類似に２シンボルにわたってＳＩＧ Ｂを送る実施例を示す。
図９の実施例でも、ＳＩＧ Ｂを繰り返しなくても十分の性能を得ることができることにもかかわらず、ＳＩＧ Ｂが２シンボルにわたって送信されるため効率的な送信にならない。
【００３７】
図１０は、４０ＭＨｚ周波数帯域で、ＳＴＡが１個のストリームを受信する場合、１シンボルを有するＶＨＴ−ＳＩＧ Ｂフィールドの構造を示す。この場合も４０ＭＨｚ周波数帯域で１ストリームで送信時に２シンボルを占めていたＳＩＧ Ｂ情報を１シンボルにわたって効率的に送信することができる。
【００３８】
このようにＶＨＴ−ＳＩＧ Ｂが２０ＭＨｚ周波数帯域で１ストリームで送信される時２シンボルを有する場合には、ストリーム個数が増えたり、或いは周波数帯域が増えても１シンボルを使用して効率的に送信することができる。また、前述した方法は、以下のように拡張可能である。
【００３９】
図１１は、本発明によるデータ送信方法を２０ＭＨｚ周波数帯域でＳＴＡが２個のストリームを受信する場合に適用した実施例を示し、図１２は、本発明によるデータ送信方法を２０ＭＨｚ周波数帯域でＳＴＡが３個のストリームを受信する場合に適用した実施例を示す。図１２の実施例で、ストリーム３は、ＳＩＧ Ｂ１の符号語の偶数ビットに該当するＢ１とＳＩＧ Ｂ２の符号語の奇数ビットに該当するＢ２で構成される。このように送信されたストリーム３は、受信端で結合(ｃｏｍｂｉｎｉｎｇ)されることができる。
【００４０】
図１３は、本発明によるデータ送信方法を２０ＭＨｚ周波数帯域でＳＴＡが４個のストリームを受信する場合に適用した実施例を示す。図１３の実施例では、ストリーム１、３にＳＩＧ Ｂ１が繰り返され、ストリーム２、４にＳＩＧ Ｂ２が繰り返される。然しながら、単純繰り返しの場合、周波数ダイバーシティ利得を得ることができないため、前述したように各ストリームに互いに異なるインターリービングを適用して送信性能を高めることができる。
【００４１】
図１４は、本発明によるデータ送信方法を４０ＭＨｚ周波数帯域でＳＴＡが１個のストリームを受信する場合に適用した実施例を示し、図１５は、本発明によるデータ送信方法を４０ＭＨｚ周波数帯域でＳＴＡが２個のストリームを受信する場合に適用した実施例を示し、図１６は、本発明によるデータ送信方法を４０ＭＨｚ周波数帯域でＳＴＡが３個のストリームを受信する場合に適用した実施例を示す。図１４、図１５、図１６の各ストリームには互いに異なるインターリービングが適用されることができる。
【００４２】
図１７は、本発明によるデータ送信方法を８０ＭＨｚ周波数帯域でＳＴＡが１個のストリームを受信する場合に適用した実施例を示し、図１８は、本発明によるデータ送信方法を８０ＭＨｚ周波数帯域でＳＴＡが２個のストリームを受信する場合に適用した実施例を示し、図１９は、本発明によるデータ送信方法を８０ＭＨｚ周波数帯域でＳＴＡが３個のストリームを受信する場合に適用した実施例を示し、図２０は、本発明によるデータ送信方法を８０ＭＨｚ周波数帯域でＳＴＡが４個のストリームを受信する場合に適用した実施例を示す。図１７、図１８、図１９、図２０の各ストリームには互いに異なるインターリービングが適用されることができる。
【００４３】
図２１は、本発明によるデータ送信方法を１６０ＭＨｚ周波数帯域でＳＴＡが１個のストリームを受信する場合に適用した実施例を示し、図２２は、本発明によるデータ送信方法を１６０ＭＨｚ周波数帯域でＳＴＡが２個のストリームを受信する場合に適用した実施例を示し、図２３は、本発明によるデータ送信方法を１６０ＭＨｚ周波数帯域でＳＴＡが３個のストリームを受信する場合に適用した実施例を示し、図２４は、本発明によるデータ送信方法を１６０ＭＨｚ周波数帯域でＳＴＡが４個のストリームを受信する場合に適用した実施例を示す。図２１、図２２、図２３、図２４の各ストリームには互いに異なるインターリービングが適用されることができる。
【００４４】
前述した本発明の送信方法は、マルチチャネルを用いてデータフレームが送信される時にも適用されることができる。図２５は、本発明によるデータ送信方法を８０ＭＨｚ周波数帯域で２個の非連続(ｎｏｎ−ｃｏｎｔｉｇｕｏｕｓ)マルチチャネルにデータが送信される場合に適用した実施例を示し、図２６は、本発明によるデータ送信方法を８０ＭＨｚ周波数帯域で３個の非連続マルチチャネルにデータが送信される場合に適用した実施例を示す。図２５、図２６の各ストリームには互いに異なるインターリービングが適用されることができる。
【００４５】
前述した本発明の送信方法は、ＶＨＴ−ＳＩＧ ＢフィールドがＢＰＳＫ２シンボルの代りにＱＰＳＫ１シンボルを使用する場合にも適用されることができる。図２７は、本発明によるデータ送信方法を２０ＭＨｚ周波数帯域でＱＰＳＫ１シンボルを使用してデータが送信される場合に適用した実施例を示し、図２８は、本発明によるデータ送信方法を４０ＭＨｚ周波数帯域でＱＰＳＫ１シンボルを使用してデータが送信される場合に適用した実施例を示し、図２９は、本発明によるデータ送信方法を８０ＭＨｚ周波数帯域でＱＰＳＫ１シンボルを使用してデータが送信される場合に適用した実施例を示す。また、図３０は、本発明によるデータ送信方法を８０ＭＨｚ周波数帯域でＱＰＳＫ１シンボルを使用して２個の非連続マルチチャネルにデータが送信される場合に適用した実施例を示し、図３１は、本発明によるデータ送信方法を８０ＭＨｚ周波数帯域でＱＰＳＫ１シンボルを使用して３個の非連続マルチチャネルにデータが送信される場合に適用した実施例を示す。図２７、図２８、図２９、図３０、図３１の各ストリームには互いに異なるインターリービングが適用されることができる。
【００４６】
前述した本発明の送信方法は、一個のストリームを２個のアンテナを介してＳＴＢＣ(Ｓｐａｃｅ−Ｔｉｍｅ Ｂｌｏｃｋ Ｃｏｄｅ、Ａｌａｍｏｕｔｉ符号)で送信する場合にも適用されることができる。この場合、ＶＨＴ−ＳＩＧ Ｂフィールドをデータフィールドと同じ方法にＳＴＢＣで送信することもでき、２個の時空(Ｓｐａｃｅ−Ｔｉｍｅ)ストリームのうち一つを使用してＶＨＴ−ＳＩＧ Ｂを送信することができる。前者の場合は、ＶＨＴ−ＳＩＧ ＡにＳＴＢＣ関連情報を予め含ませて送信しなければならず、後者の場合は、ＳＴＢＣ関連情報をＶＨＴ−ＳＩＧ Ｂに含ませて送信することができる。
【００４７】
図３２は、本発明によるデータ送信方法を２０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。図３３は、本発明によるデータ送信方法を４０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。
【００４８】
図３４は、本発明によるデータ送信方法を２０ＭＨｚ周波数帯域で２個の時空(Ｓｐａｃｅ−Ｔｉｍｅ)ストリームを用いて１個のストリームを送信する場合に適用した実施例を示す。図３５は、本発明によるデータ送信方法を２０ＭＨｚ周波数帯域で１番目のストリームは２個の時空(Ｓｐａｃｅ−Ｔｉｍｅ)ストリームを用いて送信し、２番目のストリームはそのまま送信する場合に適用した実施例を示す。図３６は、４０ＭＨｚ周波数帯域で、１番目のストリームは２個の時空(Ｓｐａｃｅ−Ｔｉｍｅ)ストリームを用いて送信し、２番目のストリームはそのまま送信する場合に適用した実施例を示す。図３６の実施例では１シンボルを用いて効率的送信が可能である。
【００４９】
本発明によるデータ送信方法は、一部ストリームのみがＳＴＢＣを用いて送信される場合にも適用可能である。また、ＶＨＴ−ＳＩＧ Ｂが２０ＭＨｚ帯域で１ストリームを送信する時、３つ以上のＯＦＤＭシンボルを使用する場合にも本発明によるデータ送信方法が適用可能である。
【００５０】
以下、他の実施例を介して本発明のデータ送受信方法に対して説明する。
【００５１】
前述したように、本発明は、専用シグナルフィールドを周波数或いはストリームドメインで繰り返して効率的に送信することによって最大のダイバーシティ利得を得ることができる。このような方法をチャネルボンディング(Ｃｈａｎｎｅｌ Ｂｏｎｄｉｎｇ)を用いて４０ＭＨｚ又は８０ＭＨｚの帯域幅でフレームを送信する場合にも適用することができる。
【００５２】
２０ＭＨｚの周波数帯域２個をボンディングして４０ＭＨｚ周波数帯域になると、ガード帯域(ｇｕａｒｄ ｂａｎｄ)などとして使われている周波数トーンの一部をデータ送信用周波数トーンとして使用することができる。例えば、８０２.１１ｎの場合、２０ＭＨｚ帯域でデータ送信周波数トーン数は５２個であり、４０ＭＨｚ帯域のデータ送信周波数トーン数は１０８個である。即ち、８０２.１１ｎではチャネルボンディングを用いることによって４０ＭＨｚ帯域で４個のデータ送信周波数トーン数が増加する。同じ原理で、８０ＭＨｚ帯域でチャネルボンディングを用いると、送信周波数トーン数を一層増加させることができる。
【００５３】
前述した本発明のＶＨＴ−ＳＩＧ Ｂフィールド送信方式をチャネルボンディングを用いたフレーム送信に適用することができる。この時、増加されたデータ送信周波数トーンは、シグナルフィールドに含まれるデータの量、又はシグナルフィールドの繰り返し回数を増やす時に使用可能である。即ち、２０ＭＨｚ帯域のＳＩＧ Ｂビット数より４０ＭＨｚ帯域又は８０ＭＨｚ帯域のＳＩＧ Ｂのビット数がより多くの場合にも本発明による方法が適用可能である。
【００５４】
図３７は、本発明によるデータ送信方法を４０ＭＨｚ周波数帯域でＳＴＡが１個のストリームを受信する場合に適用した実施例を示し、図３８は、本発明によるデータ送信方法を４０ＭＨｚ周波数帯域でＳＴＡが２個のストリームを受信する場合に適用した実施例を示す。図３９は、本発明によるデータ送信方法を４０ＭＨｚ周波数帯域でＳＴＡが３個のストリームを受信する場合に適用した実施例を示し、図４０は、本発明によるデータ送信方法を４０ＭＨｚ周波数帯域でＳＴＡが４個のストリームを受信する場合に適用した実施例を示す。図３７、図３８、図３９、図４０の各ストリームには互いに異なるインターリービングが適用されることができる。
【００５５】
図４１は、本発明によるデータ送信方法を８０ＭＨｚ周波数帯域でＳＴＡが１個のストリームを受信する場合に適用した実施例を示し、図４２は、本発明によるデータ送信方法を８０ＭＨｚ周波数帯域でＳＴＡが２個のストリームを受信する場合に適用した実施例を示す。図４３は、本発明によるデータ送信方法を８０ＭＨｚ周波数帯域でＳＴＡが３個のストリームを受信する場合に適用した実施例を示し、図４４は、本発明によるデータ送信方法を８０ＭＨｚ周波数帯域でＳＴＡが４個のストリームを受信する場合に適用した実施例を示す。図４１、図４２、図４３、図４４の各ストリームには互いに異なるインターリービングが適用されることができる。
【００５６】
ＳＩＧ Ｂのビット数と送信に使われる周波数トーン数が互いに倍数関係でなければ、ＳＩＧ Ｂの繰り返し以後一部周波数トーンが残ることができる。このような場合、ＳＩＧ Ｂの一部分のみを繰り返したり、パディング(Ｐａｄｄｉｎｇ)する方法を適用することができる。この方法は、２０ＭＨｚ、４０ＭＨｚ、８０ＭＨｚに周波数帯域幅が増加されるほどＳＩＧ Ｂの情報が増加される場合にも適用可能である。
【００５７】
一般的に周波数帯域幅が増加されると、同じ時間に送信されるデータ量が増加する。それによって送信されるデータの長さ情報などをＶＨＴ−ＳＩＧ Ｂに含ませて送信する場合にＶＨＴ−ＳＩＧ Ｂ自体の長さが増加される。この場合、周波数帯域幅別にＶＨＴ−ＳＩＧ Ｂのビット割当(ａｌｌｏｃａｔｉｏｎ)を変更し、送信可能な周波数トーン数に合わせてＶＨＴ−ＳＩＧ Ｂを繰り返すことによって送信効率を上げることができる。例えば、２０ＭＨｚ帯域では使用可能なデータトーン数が２６ビットであり、４０ＭＨｚ帯域では使用可能なデータトーン数が５４ビットであり、８０ＭＨｚ帯域で使用可能なデータトーン数が１１７ビットである場合を仮定する。この時、ＶＨＴ−ＳＩＧ Ｂの長さは、２０ＭＨｚ帯域で２６ビットであり、４０ＭＨｚ帯域で２７ビットであり、８０ＭＨｚ帯域で２９ビットである。このような場合のビット割当が図４５に示されている。
【００５８】
図４６は、図４５のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。図４７は、図４５のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。図４８は、図４５のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。図４６、図４７、図４８の各ストリームには互いに異なるインターリービングが適用されることができる。図４６、図４７、図４８の実施例で送信されるストリーム個数が変わっても本発明が適用可能である。
【００５９】
図４５に示されているＶＨＴ−ＳＩＧ Ｂのビット割当は、畳み込み符号のためのテールビットを含む。然しながら、図４５のＶＨＴ−ＳＩＧ Ｂは、符号語のエラー可否を判断することができるＣＲＣビットを含んでいないためデータの信頼性を確保し難い。然しながら、２０ＭＨｚ帯域の場合、ＶＨＴ−ＳＩＧ Ｂに余裕ビットがないため、図４９のようにデータフィールドのサービスフィールドに含まれる予備(Ｒｅｓｅｒｖｅｄ)ビットのうち一部(４〜８ビット)をＣＲＣビットとして使用することができる。
【００６０】
図４９のようなビット割当を使用する場合、ＣＲＣは、ＳＩＧ Ｂとスクランブラシード(Ｓｃｒａｍｂｌｅｒ Ｓｅｅｄ)に同時に適用される。従って、周波数帯域別に可変長さに対するＣＲＣ計算が必要である。ＶＨＴ−ＳＩＧ Ｂフィールドは、低い変調方式と符号率(ＢＰＳＫ１/２)を用い、周波数及びアンテナドメインへの繰り返し符号化も可能であるため信頼度が高い。これに対し、サービスフィールドは、データ送信に使われる変調方式と符号率をそのまま使用するため信頼度が相対的に可変的であり、一般的にＶＨＴ−ＳＩＧ Ｂより信頼度が低い。この場合、ＣＲＣを用いると、ＶＨＴ−ＳＩＧ Ｂフィールドに含まれている情報のエラー検出だけでなく、スクランブラシードのエラー検出も可能である。これによってスクランブラシードのエラーが検出されると、それによってＰＨＹ、ＭＡＣ階層の動作を中断することができるため電力節減効果も期待することができる。
【００６１】
前述した方法は、ＳＵ−ＭＩＭＯにも適用されることができる。ＳＵ−ＭＩＭＯではＶＨＴ−ＳＩＧＡに相対的に余裕ビットが生じることができる。従って、ＳＵ−ＭＩＭＯでは、ＶＨＴ−ＳＩＧ Ｂフィールドに含まれているＭＣＳビットをＶＨＴ−ＳＩＧ Ａフィールドに含ませることができる。ＳＵ−ＭＩＭＯでは、使用アンテナ数が一層多くなることができるためデータ長さを示すフィールドのビット数もより大きくなることができる。
図５０は、ＳＵ−ＭＩＭＯで、ＶＨＴ−ＳＩＧ Ｂの長さが、２０ＭＨｚ帯域で２６ビットであり、４０ＭＨｚ帯域で２７ビットであり、８０ＭＨｚ帯域で２９ビットである時のＶＨＴ−ＳＩＧ Ｂのビット割当を示す。
【００６２】
図５１は、図５０のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。図５２は、図５０のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。図５３は、図５０のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。図５１、図５２、図５３の各ストリームには互いに異なるインターリービングが適用されることができる。図５１、図５２、図５３の実施例で送信されるストリーム個数が変わっても本発明が適用可能である。
【００６３】
図５０のようなビット割当を使用する場合、ＶＨＴ−ＳＩＧ Ｂフィールドは、畳み込み符号のためのテールビットを含む。然しながら、図５０のＶＨＴ−ＳＩＧ Ｂは、符号語のエラー可否を判断することができるＣＲＣビットを含んでいないためデータの信頼性を確保し難い。然しながら、２０ＭＨｚ帯域の場合、ＶＨＴ−ＳＩＧ Ｂに余裕ビットがないため、図５４のように、データフィールドのサービスフィールドに含まれている予備(Ｒｅｓｅｒｖｅｄ)ビットのうち一部(４〜８ビット)をＣＲＣビットとして使用することができる。
【００６４】
図５４のようなビット割当を使用する場合、ＣＲＣはＳＩＧ Ｂとスクランブラシード(Ｓｃｒａｍｂｌｅｒ Ｓｅｅｄ)に同時に適用される。従って、周波数帯域別に可変長さに対するＣＲＣ計算が必要である。ＶＨＴ−ＳＩＧ Ｂフィールドは、低い変調方式と符号率(ＢＰＳＫ１/２)を用い、周波数及びアンテナドメインへの繰り返し符号化も可能であるため信頼度が高い。これに対し、サービスフィールドは、データ送信に使われる変調方式と符号率をそのまま使用するため信頼度が相対的に可変的であり、一般的にＶＨＴ−ＳＩＧ Ｂより信頼度が低い。この場合、ＣＲＣを用いると、ＶＨＴ−ＳＩＧ Ｂフィールドに含まれている情報のエラー検出だけでなく、スクランブラシードのエラー検出も可能である。これによってスクランブラシードのエラーが検出されると、それによってＰＨＹ、ＭＡＣ階層の動作を中断することができるため電力節減効果も期待することができる。
【００６５】
前述した本発明のデータ送受信方法は、ＶＨＴ−ＳＩＧ Ｂフィールドを送信する時、互いに異なる送信ストリームに対して周波数ドメインで互いに異なるインターリービングを適用することによって、アンテナドメインでも最大ダイバーシティ利得を得ることができる。然しながら、複雑度を減らしつつ類似の効果を得るために、送信ストリーム別に異なるインターリービングを適用せず、ＣＤＤ(Ｃｙｃｌｉｃ Ｄｅｌａｙ Ｄｉｖｅｒｃｉｔｙ)技法を適用してＶＨＴ−ＳＩＧ Ｂフィールドを送信することができる。このような場合、送信アンテナ別に同じデータが送信され、各アンテナ別に互いに異なる遅延(ｄｅｌａｙ)が適用される。
【００６６】
図５５は、ＣＤＤ技法が用いられて各アンテナ別に互いに異なる遅延が適用される時、本発明によるデータ送信方法を２０ＭＨｚ周波数帯域でＳＴＡが４個のストリームを受信する場合に適用した実施例を示す。図５６は、ＣＤＤ技法が用いられ、各アンテナ別に互いに異なる遅延が適用される時、本発明によるデータ送信方法を４０ＭＨｚ周波数帯域でＳＴＡが４個のストリームを受信する場合に適用した実施例を示す。図５７は、ＣＤＤ技法が用いられ、各アンテナ別に互いに異なる遅延が適用される時、本発明によるデータ送信方法を８０ＭＨｚ周波数帯域でＳＴＡが４個のストリームを受信する場合に適用した実施例を示す。図５５、図５６、図５７の各ストリームには互いに異なる遅延が適用される。図５５、図５６、図５７の実施例で送信されるストリーム個数が変わっても本発明が適用可能である。
【００６７】
また、本発明のＶＨＴ−ＳＩＧ Ｂ送信方式に、(送信アンテナ数×送信アンテナ数)の大きさを有するアンテナドメインへのスプレッディングマトリックス(Ｓｐｒｅａｄｉｎｇ Ｍａｔｒｉｘ)を追加的に適用することもできる。ストリーム別に異なるインターリービングを適用する時は、マルチストリームを適用する時のスプレッディングマトリックスを適用可能であり、ストリーム別に遅延を適用して送信する時は、シングルストリームを適用する時のスプレッディングマトリックスを適用することができる。
【００６８】
図５８は、本発明の一実施例による送信端末の構成を示す。
【００６９】
送信端末５８０２は、シグナルフィールド生成部５８０４、データフィールド生成部５８０６、データフレーム生成部５８０８、送信部５８１０を含む。シグナルフィールド生成部５８０４は、データフレームの送信に適用される周波数帯域に応じて繰り返してシグナルフィールドを生成する。データフィールド生成部５８０６は、受信端末に送信するデータを含むデータフィールドを生成する。データフレーム生成部５８０８は、シグナルフィールド生成部５８０４により生成されたシグナルフィールド及びデータフィールド生成部５８０６により生成されたデータフィールドを含むデータフレームを生成する。送信部５８１０は、データフレーム生成部５８０８により生成されたデータフレームを受信端末に送信する。
【００７０】
ここで、シグナルフィールドは、データフィールドの長さを示す長さフィールドを含むことができ、長さフィールドは、データフレームの送信に適用される周波数帯域に応じて異なる長さを有することができる。また、シグナルフィールドは、データフィールドの変調方法及びコーディング方法を示すＭＣＳ(Ｍｏｄｕｌａｔｉｏｎ ａｎｄ Ｃｏｄｉｎｇ Ｓｃｈｅｍｅ)フィールドを含むことができる。また、シグナルフィールドは、各ユーザ別情報を伝達するための専用シグナルフィールド(ｄｅｄｉｃａｔｅｄ ｓｉｇｎａｌ ｆｉｅｌｄ)である。また、データフレームは、シグナルフィールドのエラーを検出するためのＣＲＣフィールドを含むことができる。
【００７１】
図５９は、本発明の一実施例による受信端末の構成を示す。
【００７２】
受信端末５９０２は、受信部５９０４及びデータ獲得部５９０６を含む。受信部５９０４は、シグナルフィールド及びデータフィールドを含むデータフレームを受信する。
【００７３】
ここで、シグナルフィールドは、データフィールドの長さを示す長さフィールドを含むことができ、長さフィールドは、データフレームの送信に適用される周波数帯域に応じて異なる長さを有することができる。また、シグナルフィールドは、データフィールドの変調方法及びコーディング方法を示すＭＣＳ(Ｍｏｄｕｌａｔｉｏｎ ａｎｄ Ｃｏｄｉｎｇ Ｓｃｈｅｍｅ)フィールドを含むことができる。また、シグナルフィールドは、各ユーザ別情報を伝達するための専用シグナルフィールド(ｄｅｄｉｃａｔｅｄ ｓｉｇｎａｌ ｆｉｅｌｄ)である。また、データフレームは、シグナルフィールドのエラーを検出するためのＣＲＣフィールドを含むことができる。
【００７４】
データ獲得部５９０６は、受信されたデータフレームに含まれているシグナルフィールドを用いてデータフィールドに含まれているデータを獲得する。この時、データ獲得部５９０６は、シグナルフィールドに含まれている長さフィールド、ＭＣＳフィールドなどを用いてデータを獲得することができる。また、データ獲得部５９０６は、データフレームに含まれているＣＲＣフィールドを用いてシグナルフィールドのエラーを検出することができる。
【００７５】
図６０は、本発明の一実施例による送信端末のデータ送信方法のフローチャートである。
【００７６】
まず、データフレームの送信に適用される周波数帯域に応じて繰り返してシグナルフィールドを生成する(６００２)。また、受信端末に送信するデータを含むデータフィールドを生成する(６００４)。その後、生成されたシグナルフィールド及びデータフィールドを含むデータフレームを生成する(６００６)。その後、生成されたデータフレームを受信端末に送信する(６００８)。
【００７７】
ここで、シグナルフィールドは、データフィールドの長さを示す長さフィールドを含むことができ、長さフィールドは、データフレームの送信に適用される周波数帯域に応じて異なる長さを有することができる。また、シグナルフィールドは、データフィールドの変調方法及びコーディング方法を示すＭＣＳ(Ｍｏｄｕｌａｔｉｏｎ ａｎｄ Ｃｏｄｉｎｇ Ｓｃｈｅｍｅ)フィールドを含むことができる。また、シグナルフィールドは、各ユーザ別情報を伝達するための専用シグナルフィールド(ｄｅｄｉｃａｔｅｄ ｓｉｇｎａｌ ｆｉｅｌｄ)である。また、データフレームは、シグナルフィールドのエラーを検出するためのＣＲＣフィールドを含むことができる。
【００７８】
図６１は、本発明の一実施例による受信端末のデータ受信方法のフローチャートである。
【００７９】
まず、シグナルフィールド及びデータフィールドを含むデータフレームを受信する(６１０２)。ここで、シグナルフィールドは、データフィールドの長さを示す長さフィールドを含むことができ、長さフィールドは、データフレームの送信に適用される周波数帯域に応じて異なる長さを有することができる。また、シグナルフィールドは、データフィールドの変調方法及びコーディング方法を示すＭＣＳ(Ｍｏｄｕｌａｔｉｏｎ ａｎｄ Ｃｏｄｉｎｇ Ｓｃｈｅｍｅ)フィールドを含むことができる。また、シグナルフィールドは、各ユーザ別情報を伝達するための専用シグナルフィールド(ｄｅｄｉｃａｔｅｄ ｓｉｇｎａｌ ｆｉｅｌｄ)である。また、データフレームは、シグナルフィールドのエラーを検出するためのＣＲＣフィールドを含むことができる。
【００８０】
その後、受信されたデータフレームに含まれているシグナルフィールドを用いてデータフィールドに含まれているデータを獲得する(６１０４)。この時、受信端末は、シグナルフィールドに含まれている長さフィールド、ＭＣＳフィールドなどを用いてデータを獲得することができる。また、受信端末は、データフレームに含まれているＣＲＣフィールドを用いてシグナルフィールドのエラーを検出することができる。
【００８１】
本発明によると、ＭＵ−ＭＩＭＯシステムにおける専用シグナルフィールドを送信する時、ユーザの周波数帯域とストリーム個数などを活用してシグナルフィールドの性能を改善して送信時間を減らすことによって、シグナルフィールドを用いてより多くの情報を効率的に送信することができる。
【００８２】
前述した本発明は、本発明が属する技術分野において通常の知識を有する者であれば、本発明の技術的思想を外れない範囲内で多様な置換、変形、及び変更が可能であるため、前述した実施例及び添付図面により限定されるものではない。
【図１】
2020188493.tif 000003
【図２】
2020188493.tif 000004
【図３】
2020188493.tif 000005
【図４】
2020188493.tif 000006
【図５】
2020188493.tif 000007
【図６】
2020188493.tif 000008
【図７】
2020188493.tif 000009
【図８】
2020188493.tif 000010
【図９】
2020188493.tif 000011
【図１０】
2020188493.tif 000012
【図１１】
2020188493.tif 000013
【図１２】
2020188493.tif 000014
【図１３】
2020188493.tif 000015
【図１４】
2020188493.tif 000016
【図１５】
2020188493.tif 000017
【図１６】
2020188493.tif 000018
【図１７】
2020188493.tif 000019
【図１８】
2020188493.tif 000020
【図１９】
2020188493.tif 000021
【図２０】
2020188493.tif 000022
【図２１】
2020188493.tif 000023
【図２２】
2020188493.tif 000024
【図２３】
2020188493.tif 000025
【図２４】
2020188493.tif 000026
【図２５】
2020188493.tif 000027
【図２６】
2020188493.tif 000028
【図２７】
2020188493.tif 000029
【図２８】
2020188493.tif 000030
【図２９】
2020188493.tif 000031
【図３０】
2020188493.tif 000032
【図３１】
2020188493.tif 000033
【図３２】
2020188493.tif 000034
【図３３】
2020188493.tif 000035
【図３４】
2020188493.tif 000036
【図３５】
2020188493.tif 000037
【図３６】
2020188493.tif 000038
【図３７】
2020188493.tif 000039
【図３８】
2020188493.tif 000040
【図３９】
2020188493.tif 000041
【図４０】
2020188493.tif 000042
【図４１】
2020188493.tif 000043
【図４２】
2020188493.tif 000044
【図４３】
2020188493.tif 000045
【図４４】
2020188493.tif 000046
【図４５】
2020188493.tif 000047
【図４６】
2020188493.tif 000048
【図４７】
2020188493.tif 000049
【図４８】
2020188493.tif 000050
【図４９】
2020188493.tif 000051
【図５０】
2020188493.tif 000052
【図５１】
2020188493.tif 000053
【図５２】
2020188493.tif 000054
【図５３】
2020188493.tif 000055
【図５４】
2020188493.tif 000056
【図５５】
2020188493.tif 000057
【図５６】
2020188493.tif 000058
【図５７】
2020188493.tif 000059
【図５８】
2020188493.tif 000060
【図５９】
2020188493.tif 000061
【図６０】
2020188493.tif 000062
【図６１】
2020188493.tif 000063
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
複数の無線端末にフレームを送信する通信方法であって、
前記複数の無線端末に対する共通情報を含むＳＩＧ−Ａフィールドを生成するステップと、
前記複数の無線端末の各々に対するユーザ固有情報を含むＳＩＧ−Ｂフィールドを生成するステップと、
前記ＳＩＧ−Ａフィールドと前記ＳＩＧ−Ｂフィールドを含むフレームを生成するステップと、
複数の２０ＭＨｚ周波数帯を含む動作周波数帯で前記複数の無線端末に前記フレームを送信するステップと、を備え、
前記ＳＩＧ−Ｂフィールドは、第１のＳＩＧ−B情報および第２のＳＩＧ−Ｂ情報を含み、
前記第２のＳＩＧ−Ｂ情報は、前記第１のＳＩＧ−Ｂ情報と異なり、
前記複数の２０ＭＨｚ周波数帯は、第１のバンドと第２のバンドを含み、
前記第１のバンドは、前記第２のバンドよりも周波数が低く、
前記第１のＳＩＧ−Ｂ情報は、前記第１のバンドで送信され、
前記第２のＳＩＧ−Ｂ情報は、前記第２のバンドで送信される、方法。
【請求項２】
前記動作周波数帯は、８０ＭＨｚ以上の幅であり、
前記複数の２０ＭＨｚ周波数帯は、第３のバンドと第４のバンドをさらに含み、
前記第２のバンドは、前記第３のバンドよりも周波数が低く、
前記第３のバンドは、前記第４のバンドよりも周波数が低く、
前記第１のＳＩＧ−Ｂ情報は、前記第３のバンドで送信され、
前記第２のＳＩＧ−Ｂ情報は、前記第４のバンドで送信される、請求項１に記載の方法。
【請求項３】
前記動作周波数帯は、１６０ＭＨｚ以上の幅であり、
前記複数の２０ＭＨｚ周波数帯は、第５のバンド、第６のバンド、第７のバンドおよび第８のバンドをさらに含み、
前記第４のバンドは、前記第５のバンドよりも周波数が低く、
前記第５のバンドは、前記第６のバンドよりも周波数が低く、
前記第６のバンドは、前記第７のバンドよりも周波数が低く、
前記第７のバンドは、前記第８のバンドよりも周波数が低く、
前記第１のＳＩＧ−Ｂ情報は、前記第５のバンドおよび前記第７のバンドで送信され、
前記第２のＳＩＧ−Ｂ情報は、前記第６のバンドおよび前記第８のバンドで送信される、請求項２に記載の方法。
【請求項４】
通信装置であって、
プロセッサを備え、
前記プロセッサは、
複数の無線端末に対する共通情報を含むＳＩＧ−Ａフィールドを生成し、
前記複数の無線端末の各々に対するユーザ固有情報を含むＳＩＧ−Ｂフィールドを生成し、
前記ＳＩＧ−Ａフィールドと前記ＳＩＧ−Ｂフィールドを含むフレームを生成し、
前記通信装置に、複数の２０ＭＨｚ周波数帯を含む動作周波数帯で前記複数の無線端末に前記フレームを送信させるように構成されており、
前記ＳＩＧ−Ｂフィールドは、第１のＳＩＧ−B情報および第２のＳＩＧ−Ｂ情報を含み、
前記第２のＳＩＧ−Ｂ情報は、前記第１のＳＩＧ−Ｂ情報と異なり、
前記複数の２０ＭＨｚ周波数帯は、第１のバンドと第２のバンドを含み、
前記第１のバンドは、前記第２のバンドよりも周波数が低く、
前記第１のＳＩＧ−Ｂ情報は、前記第１のバンドで送信され、
前記第２のＳＩＧ−Ｂ情報は、前記第２のバンドで送信される、装置。
【請求項５】
前記動作周波数帯は、８０ＭＨｚ以上の幅であり、
前記複数の２０ＭＨｚ周波数帯は、第３のバンドと第４のバンドをさらに含み、
前記第２のバンドは、前記第３のバンドよりも周波数が低く、
前記第３のバンドは、前記第４のバンドよりも周波数が低く、
前記第１のＳＩＧ−Ｂ情報は、前記第３のバンドで送信され、
前記第２のＳＩＧ−Ｂ情報は、前記第４のバンドで送信される、請求項４に記載の装置。
【請求項６】
前記動作周波数帯は、１６０ＭＨｚ以上の幅であり、
前記複数の２０ＭＨｚ周波数帯は、第５のバンド、第６のバンド、第７のバンドおよび第８のバンドをさらに含み、
前記第４のバンドは、前記第５のバンドよりも周波数が低く、
前記第５のバンドは、前記第６のバンドよりも周波数が低く、
前記第６のバンドは、前記第７のバンドよりも周波数が低く、
前記第７のバンドは、前記第８のバンドよりも周波数が低く、
前記第１のＳＩＧ−Ｂ情報は、前記第５のバンドおよび前記第７のバンドで送信され、
前記第２のＳＩＧ−Ｂ情報は、前記第６のバンドおよび前記第８のバンドで送信される、請求項５に記載の装置。
【手続補正書】
【提出日】令和2年8月19日(2020.8.19)
【手続補正１】
【補正対象書類名】明細書
【補正対象項目名】００１５
【補正方法】変更
【補正の内容】
【００１５】
【図１】本発明のデータ送受信方法で使われるデータフレームの構造を示す。
【図２】８０ＭＨｚ周波数帯域で、ＡＰが４個のアンテナを用いてＭＵ−ＭＩＭＯビーム形成(ｂｅａｍｆｏｒｍｉｎｇ)を介して４個のストリームを送信し、２個のＳＴＡが各々２個のアンテナを用いて受信されたストリームを受信する実施例を示す。
【図３】２０ＭＨｚ周波数帯域で、ＳＴＡが１個のストリームを受信する場合のＶＨＴ−ＳＩＧ Ｂフィールドの構造を示す。
【図４】２０ＭＨｚ周波数帯域で、ＳＴＡが４個のストリームを受信する場合のＶＨＴ−ＳＩＧ Ｂフィールドの構造を示す。
【図５】８０ＭＨｚ周波数帯域で、ＳＴＡが４個のストリームを受信する場合のＶＨＴ−ＳＩＧ Ｂフィールドの構造を示す。
【図６】２０ＭＨｚ周波数帯域で、ＳＴＡが１個のストリームを受信する場合、２シンボルを有するＶＨＴ−ＳＩＧ Ｂフィールドの構造を示す。
【図７】２０ＭＨｚ周波数帯域で、ＳＴＡが４個のストリームを受信する場合、２シンボルを有するＶＨＴ−ＳＩＧ Ｂフィールドの構造を示す。
【図８】２０ＭＨｚ周波数帯域で、ＳＴＡが４個のストリームを受信する場合、１シンボルを有するＶＨＴ−ＳＩＧ Ｂフィールドの構造を示す。
【図９】４０ＭＨｚ周波数帯域で、ＳＴＡが１個のストリームを受信する場合、ＶＨＴ−ＳＩＧ Ａと類似に２シンボルにわたってＳＩＧ Ｂを送る実施例を示す。
【図１０】４０ＭＨｚ周波数帯域で、ＳＴＡが１個のストリームを受信する場合、１シンボルを有するＶＨＴ−ＳＩＧ Ｂフィールドの構造を示す。
【図１１】本発明によるデータ送信方法を２０ＭＨｚ周波数帯域でＳＴＡが２個のストリームを受信する場合に適用した実施例を示す。
【図１２】本発明によるデータ送信方法を２０ＭＨｚ周波数帯域でＳＴＡが３個のストリームを受信する場合に適用した実施例を示す。
【図１３】本発明によるデータ送信方法を２０ＭＨｚ周波数帯域でＳＴＡが４個のストリームを受信する場合に適用した実施例を示す。
【図１４】本発明によるデータ送信方法を４０ＭＨｚ周波数帯域でＳＴＡが１個のストリームを受信する場合に適用した実施例を示す。
【図１５】本発明によるデータ送信方法を４０ＭＨｚ周波数帯域でＳＴＡが２個のストリームを受信する場合に適用した実施例を示す。
【図１６】本発明によるデータ送信方法を４０ＭＨｚ周波数帯域でＳＴＡが３個のストリームを受信する場合に適用した実施例を示す。
【図１７】本発明によるデータ送信方法を８０ＭＨｚ周波数帯域でＳＴＡが１個のストリームを受信する場合に適用した実施例を示す。
【図１８】本発明によるデータ送信方法を８０ＭＨｚ周波数帯域でＳＴＡが２個のストリームを受信する場合に適用した実施例を示す。
【図１９】本発明によるデータ送信方法を８０ＭＨｚ周波数帯域でＳＴＡが３個のストリームを受信する場合に適用した実施例を示す。
【図２０】本発明によるデータ送信方法を８０ＭＨｚ周波数帯域でＳＴＡが４個のストリームを受信する場合に適用した実施例を示す。
【図２１】本発明によるデータ送信方法を１６０ＭＨｚ周波数帯域でＳＴＡが１個のストリームを受信する場合に適用した実施例を示す。
【図２２】本発明によるデータ送信方法を１６０ＭＨｚ周波数帯域でＳＴＡが２個のストリームを受信する場合に適用した実施例を示す。
【図２３】本発明によるデータ送信方法を１６０ＭＨｚ周波数帯域でＳＴＡが３個のストリームを受信する場合に適用した実施例を示す。
【図２４】本発明によるデータ送信方法を１６０ＭＨｚ周波数帯域でＳＴＡが４個のストリームを受信する場合に適用した実施例を示す。
【図２５】本発明によるデータ送信方法を８０ＭＨｚ周波数帯域で非連続(ｎｏｎ−ｃｏｎｔｉｇｕｏｕｓ)マルチチャネルにデータが送信される場合に適用した実施例を示す。
【図２６】本発明によるデータ送信方法を８０ＭＨｚ周波数帯域で３個の非連続マルチチャネルにデータが送信される場合に適用した実施例を示す。
【図２７】本発明によるデータ送信方法を２０ＭＨｚ周波数帯域でＱＰＳＫ１シンボルを使用してデータが送信される場合に適用した実施例を示す。
【図２８】本発明によるデータ送信方法を４０ＭＨｚ周波数帯域でＱＰＳＫ１シンボルを使用してデータが送信される場合に適用した実施例を示す。
【図２９】本発明によるデータ送信方法を８０ＭＨｚ周波数帯域でＱＰＳＫ１シンボルを使用してデータが送信される場合に適用した実施例を示す。
【図３０】本発明によるデータ送信方法を８０ＭＨｚ周波数帯域でＱＰＳＫ１シンボルを使用して２個の非連続マルチチャネルにデータが送信される場合に適用した実施例を示す。
【図３１】本発明によるデータ送信方法を８０ＭＨｚ周波数帯域でＱＰＳＫ１シンボルを使用して３個の非連続マルチチャネルにデータが送信される場合に適用した実施例を示す。
【図３２】本発明によるデータ送信方法を２０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。
【図３３】本発明によるデータ送信方法を４０ＭＨｚ周波数帯域で１番目のストリームは２個の時空(Ｓｐａｃｅ−ｔｉｍｅ)ストリームを使用して送信し、２番目のストリームはそのまま送信する場合に適用した実施例を示す。
【図３４】本発明によるデータ送信方法を２０ＭＨｚ周波数帯域で２個の時空(Ｓｐａｃｅ−Ｔｉｍｅ)ストリームを用いて１個のストリームを送信する場合に適用した実施例を示す。
【図３５】本発明によるデータ送信方法を２０ＭＨｚ周波数帯域で１番目のストリームは２個の時空(Ｓｐａｃｅ−Ｔｉｍｅ)ストリームを用いて送信し、２番目のストリームはそのまま送信する場合に適用した実施例を示す。
【図３６】４０ＭＨｚ周波数帯域で、１番目のストリームは２個の時空(Ｓｐａｃｅ−Ｔｉｍｅ)ストリームを用いて送信し、２番目のストリームはそのまま送信する場合に適用した実施例を示す。
【図３７】本発明によるデータ送信方法を４０ＭＨｚ周波数帯域でＳＴＡが１個のストリームを受信する場合に適用した実施例を示す。
【図３８】本発明によるデータ送信方法を４０ＭＨｚ周波数帯域でＳＴＡが２個のストリームを受信する場合に適用した実施例を示す。
【図３９】本発明によるデータ送信方法を４０ＭＨｚ周波数帯域でＳＴＡが３個のストリームを受信する場合に適用した実施例を示す。
【図４０】本発明によるデータ送信方法を４０ＭＨｚ周波数帯域でＳＴＡが４個のストリームを受信する場合に適用した実施例を示す。
【図４１】本発明によるデータ送信方法を８０ＭＨｚ周波数帯域でＳＴＡが１個のストリームを受信する場合に適用した実施例を示す。
【図４２】本発明によるデータ送信方法を８０ＭＨｚ周波数帯域でＳＴＡが２個のストリームを受信する場合に適用した実施例を示す。
【図４３】本発明によるデータ送信方法を８０ＭＨｚ周波数帯域でＳＴＡが３個のストリームを受信する場合に適用した実施例を示す。
【図４４】本発明によるデータ送信方法を８０ＭＨｚ周波数帯域でＳＴＡが４個のストリームを受信する場合に適用した実施例を示す。
【図４５】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットである時のＶＨＴ−ＳＩＧ Ｂのビット割当を示す。
【図４６】図４５のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。
【図４７】図４５のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。
【図４８】図４５のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。
【図４９】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットであり、サービスフィールドに含まれている予備ビット一部をＣＲＣビットとして使用する実施例を示す。
【図５０】ＳＵ−ＭＩＭＯで、ＶＨＴ−ＳＩＧ Ｂの長さが、２０ＭＨｚ帯域で２６ビットであり、４０ＭＨｚ帯域で２７ビットであり、８０ＭＨｚ帯域で２９ビットである時のＶＨＴ−ＳＩＧ Ｂのビット割当を示す。
【図５１】図５０のようにＶＨＴ−ＳＩＧ Ｂのビット数が割り当てられる時、本発明によるデータ送信方法を２０ＭＨｚ周波数帯域でＳＴＡが４個のストリームを受信する場合に適用した実施例を示す。
【図５２】図５０のようにＶＨＴ−ＳＩＧ Ｂのビット数が割り当てられる時、本発明によるデータ送信方法を４０ＭＨｚ周波数帯域でＳＴＡが４個のストリームを受信する場合に適用した実施例を示す。
【図５３】図５０のようにＶＨＴ−ＳＩＧ Ｂのビット数が割り当てられる時、本発明によるデータ送信方法を８０ＭＨｚ周波数帯域でＳＴＡが４個のストリームを受信する場合に適用した実施例を示す。
【図５４】ＶＨＴ−ＳＩＧ Ｂの長さが、２０ＭＨｚ帯域で２６ビットであり、４０ＭＨｚ帯域で２７ビットであり、８０ＭＨｚ帯域で２９ビットであり、サービスフィールドに含まれている予備ビットのうち一部をＣＲＣビットとして使用する実施例を示す。
【図５５】ＣＤＤ技法が用いられ、各アンテナ別に互いに異なる遅延が適用される時、本発明によるデータ送信方法を２０ＭＨｚ周波数帯域でＳＴＡが４個のストリームを受信する場合に適用した実施例を示す。
【図５６】ＣＤＤ技法が用いられ、各アンテナ別に互いに異なる遅延が適用される時、本発明によるデータ送信方法を４０ＭＨｚ周波数帯域でＳＴＡが４個のストリームを受信する場合に適用した実施例を示す。
【図５７】ＣＤＤ技法が用いられ、各アンテナ別に互いに異なる遅延が適用される時、本発明によるデータ送信方法を８０ＭＨｚ周波数帯域でＳＴＡが４個のストリームを受信する場合に適用した実施例を示す。
【図５８】本発明の一実施例による送信端末の構成を示す。
【図５９】本発明の一実施例による受信端末の構成を示す。
【図６０】本発明の一実施例による送信端末のデータ送信方法のフローチャートである。
【図６１】本発明の一実施例による受信端末のデータ受信方法のフローチャートである。